(57)【要約】      （修正有）【課題】ブレーカーの作動などによって一部の室内機や空気調和機に電力の供給が遮断されたとき、電池による電力の供給を必要とせず、また、簡単な構成で、液冷媒の室内機への流入を防ぐことにより、圧縮機への液戻りを防止する。【解決手段】２台の室外機１ａ、１ｂと９台の室内機２ａ〜２ｉとを備える多室形空気調和機において、各室内機２ａ〜２ｉに接続される配管に分岐する前段であって、グループＡの室内機２ａ〜２ｃに液冷媒を供給する配管に直列に電磁弁１２ａを接続し、グループＢの室内機２ｄ〜２ｆに液冷媒を供給する配管に直列に電磁弁１２ｂを接続し、グループＣの室内機２ｇ〜２ｉに液冷媒を供給する配管に直に電磁弁１２ｃを接続して、これらの電磁弁１２ａ〜１２ｃは、室内機２ａ〜２ｉに電力を供給する電力供給源から電力が供給されると開き、電力が供給されないと閉じるようにした。【選択図】図１
2011247491.tif 000002
【特許請求の範囲】
【請求項１】
室外機と室内機とを備える空気調和機において、
電力が供給されると開き、電力が供給されないと閉じる電磁弁を備え、
同電磁弁は、前記室内機に電力を供給する電力供給源から電力が供給され、
かつ、冷媒回路を形成する冷媒配管のうちの液管に配置することを特徴とする空気調和機。
【請求項２】
前記電磁弁は、前記室外機または前記室内機に配置することを特徴とする請求項１記載の空気調和機。
【請求項３】
前記空気調和機は、１または複数の室外機と複数の室内機とで構成された多室形空気調和機であることを特徴とする請求項１または請求項２記載の空気調和機。
【請求項４】
前記電磁弁は、前記液管のうち、それぞれの前記室内機に接続される配管に前記室内機ごとに配置することを特徴とする請求項３記載の空気調和機。
【請求項５】
前記電磁弁は、前記液管のうち、それぞれの前記室内機に接続される配管に分岐する前の配管に配置することを特徴とする請求項３記載の空気調和機。
【発明の詳細な説明】
【技術分野】
【０００１】
本発明は、圧縮機への液戻りを防止する空気調和機に関する。
【背景技術】
【０００２】
従来の１または複数の室外機と複数の室内機とを備える空気調和機において、ブレーカーの作動などにより一部の室内機へ電力の供給が遮断された場合、この室内機の運転が停止され、室内機に接続される冷媒配管に配置された電子膨張弁への電力の供給も遮断されるため、この電子膨張弁は電力が遮断されたときの状態、つまり、開いたままの状態になる。
【０００３】
この電力の供給が遮断された室内機以外の室内機は未だ運転を継続中であるため、空気調和機の冷媒配管には冷媒が循環しており、上述の電子膨張弁が開いていることから、電力が遮断された室内機へも冷媒が供給されることになる。
【０００４】
この結果、特に、空気調和機の冷房運転中に、上述のように、一部の室内機へ電力の供給が遮断された場合、電力が遮断された室内機へ供給された冷媒は、室内機が運転を停止しているため、室内機内で十分に蒸発することなく大部分が液冷媒のまま圧縮機へ戻ることになり、圧縮機がこの液戻りにより、液圧縮や油切れなどを起こして故障するおそれがある。
【０００５】
さらに、従来の空気調和機において、停電やブレーカーの作動により空気調和機へ電力の供給が遮断された場合、この空気調和機の運転が停止され、室内機に接続される冷媒配管に配置された電子膨張弁への電力の供給も遮断されるため、この電子膨張弁は上述と同様に開いたままの状態になる。
【０００６】
この結果、特に、空気調和機の冷房運転中に、上述のように、空気調和機への電力の供給が遮断された場合、空気調和機の運転が停止した後、液冷媒が室内機に流入し、その液冷媒が室内機に溜まった状態になる。その後、電力の供給が復旧し空気調和機を再起動したとき、室内機に溜まった液冷媒が室内機内で蒸発せずに液冷媒のまま圧縮機へ戻ることになり、圧縮機がこの液戻りにより、液圧縮や油切れなどを起こして故障するおそれがある。
【０００７】
このような圧縮機への液戻りを防止するようにした空気調和機として、補助電源となる電池と、電力の供給の遮断を検知する検知手段と、この検知手段が電力の供給の遮断を検知したとき、電子膨張弁に閉止指示の情報を送信する制御手段とを有する膨張弁閉止機構を備えたものが提案されている（例えば、特許文献１参照）。
【０００８】
この膨張弁閉止機構は、停電やブレーカーの作動によって電力の供給が遮断されたことを、検知手段が検知したとき、電池から供給される電力によって電子膨張弁を閉止する。この電子膨張弁の閉止によって、液冷媒が室内機に流入せず、その液冷媒が室内機内で蒸発されずに圧縮機に戻ることを防止できるようになっている。
【０００９】
しかしながら、特許文献１に開示されている空気調和機では、電池と検知手段と制御手段が必要であり、圧縮機への液戻りを防止するために、複雑な構成が必要になるという問題点があった。
【先行技術文献】
【特許文献】
【００１０】
【特許文献１】特開２００５−１２１３３３号公報（第３頁−第８頁、第１図）
【発明の概要】
【発明が解決しようとする課題】
【００１１】
本発明は上記問題点に鑑み、ブレーカーの作動などによって一部の室内機や空気調和機に電力の供給が遮断されたとき、電池による電力の供給を必要とせず、また、簡単な構成で、液冷媒の室内機への流入を防ぐことにより、圧縮機への液戻りを防止することを目的とする。
【課題を解決するための手段】
【００１２】
本発明は上記課題を解決するため、請求項１記載の発明は、室外機と室内機とを備える空気調和機において、電力が供給されると開き、電力が供給されないと閉じる電磁弁を備え、同電磁弁は、前記室内機に電力を供給する電力供給源から電力が供給され、かつ、冷媒回路を形成する冷媒配管のうちの液管に配置することを特徴とする。
【００１３】
請求項２記載の発明は、請求項１記載の発明において、前記電磁弁は、前記室外機または前記室内機に配置することを特徴とする。
【００１４】
請求項３記載の発明は、請求項１または請求項２記載の発明において、前記空気調和機は、１または複数の室外機と複数の室内機とで構成された多室形空気調和機であることを特徴とする。
【００１５】
請求項４記載の発明は、請求項３記載の発明において、前記電磁弁は、前記液管のうち、それぞれの前記室内機に接続される配管に前記室内機ごとに配置することを特徴とする。
【００１６】
請求項５記載の発明は、請求項３記載の発明において、前記電磁弁は、前記液管のうち、それぞれの前記室内機に接続される配管に分岐する前の配管に配置することを特徴とする。
【発明の効果】
【００１７】
本発明によれば、ブレーカーの作動などによって一部の室内機や空気調和機に電力の供給が遮断されたとき、電池による電力の供給を必要とせず、また、簡単な構成で、液冷媒の室内機への流入を防ぐことができる。これにより、一部の室内機以外の室内機が冷房運転中のときや、電力の供給が復旧し空気調和機を再起動したときに、圧縮機への液戻りを防止し、圧縮機が故障しないようにすることができる。
【図面の簡単な説明】
【００１８】
【図１】本発明による空気調和機を示す説明図である。
【発明を実施するための形態】
【００１９】
以下、本発明の実施形態を添付図面に基づき詳細に説明する。本実施形態による空気調和機は、図１に示すように、多室形空気調和機であって、２台の室外機１ａ、１ｂと９台の室内機２ａ〜２ｉとを備え、２台の室外機１ａ、１ｂと９台の室内機２ａ〜２ｉはビルに設置されている。２台の室外機１ａ、１ｂと９台の室内機２ａ〜２ｉの間は、多室形空気調和機が１つの閉じられた冷媒回路で運転されるように冷媒配管が形成されている。
【００２０】
また、９台の室内機２ａ〜２ｉは、３台の室内機２ａ〜２ｃをグループＡ、３台の室内機２ｄ〜２ｆをグループＢ、３台の室内機２ｇ〜２ｉをグループＣとし、グループＡの各室内機はビルの３階の１フロアに、グループＢの各室内機はビルの２階の１フロアに、グループＣの各室内機はビルの１階の１フロアにそれぞれ設置されている。更に、２台の室外機１ａ、１ｂは、９台の室内機２ａ〜２ｉに電力を供給する電力供給源と異なる電力供給源から電力が供給されるようになっている。
【００２１】
なお、本実施形態では、冷媒配管のうち、液冷媒が流れる冷媒配管を液管５と称し、ガス冷媒が流れる冷媒配管をガス管６と称して説明する。また、グループＡ〜Ｃの全ての室内機２ａ〜２ｉが冷房運転中であるものとし、図中の矢印方向に、液冷媒が液管５内を、ガス冷媒がガス管６内を流れているものとして説明する。
【００２２】
また、本実施形態では、液管５とガス管６は複数の配管からなり、複数の配管と複数のジョイントを用いて、室外機１ａおよび室外機１ｂから室内機２ａ〜２ｉまでを配管とジョイントとで接続する例を、冷房運転中の冷媒の流れに沿って説明する。
【００２３】
室外機１ａ、１ｂの内部にはそれぞれ、図示しない室外熱交換器、四方弁、圧縮機、室外ファンなどを備えている。室外熱交換器の出口には液管５が接続され、圧縮機の吸込口にはガス管６が接続されている。室外機１ａと室外機１ｂはそれぞれ、三相の電力供給源から電力の供給を受け、運転される。
【００２４】
室内機２ａ〜２ｉの内部にはそれぞれ、図示しない室内熱交換器、室内ファンなどを備えている。室内熱交換器には液管５とガス管６とが接続されている。室内機２ａ〜２ｉはそれぞれ、単相の電力供給源から電力の供給を受け、運転される。
【００２５】
室外機１ａおよび室外機１ｂと、ジョイント４ａは配管で接続され、さらに、ジョイント４ａとジョイント４ｂは配管を介して接続されている。このジョイント４ｂで配管を２つに分岐し、一方の配管はジョイント４ｄに接続され、他方の配管はジョイント４ｃに接続されている。このジョイント４ｃで配管を２つに分岐し、一方の配管はジョイント４ｅに接続され、他方の配管はジョイント４ｆに接続されている。
【００２６】
上述のジョイント４ｄで配管を２つに分岐し、一方の配管はジョイント４ｇに接続され、他方の配管は室内機２ｃに接続されている。このジョイント４ｇで配管を２つに分岐し、一方の配管は室内機２ａに接続され、他方の配管は室内機２ｂに接続されている。
【００２７】
上述のジョイント４ｅで配管を２つに分岐し、一方の配管はジョイント４ｈに接続され、他方の配管は室内機２ｆに接続されている。このジョイント４ｈで配管を２つに分岐し、一方の配管は室内機２ｄに接続され、他方の配管は室内機２ｅに接続されている。
【００２８】
上述のジョイント４ｆで配管を２つに分岐し、一方の配管はジョイント４ｉに接続され、他方の配管は室内機２ｉに接続されている。このジョイント４ｉで配管を２つに分岐し、一方の配管は室内機２ｇに接続され、他方の配管は室内機２ｈに接続されている。
【００２９】
室内機２ａおよび室内機２ｂと、ジョイント４ｊは配管で接続され、このジョイント４ｊで配管を１つに合流し、配管でジョイント４ｋに接続されている。このジョイント４ｋと室内機２ｃは配管を介して接続され、さらに、上述のジョイント４ｋで配管を１つに合流し、配管でジョイント４ｑに接続されている。
【００３０】
室内機２ｄおよび室内機２ｅと、ジョイント４ｌは配管で接続され、このジョイント４ｌで配管を１つに合流し、配管でジョイント４ｍに接続されている。このジョイント４ｍと室内機２ｆは配管を介して接続され、さらに、上述のジョイント４ｍで配管を１つに合流し、配管でジョイント４ｐに接続されている。
【００３１】
室内機２ｇおよび室内機２ｈと、ジョイント４ｎは配管で接続され、このジョイント４ｎで配管を１つに合流し、配管でジョイント４ｏに接続されている。このジョイント４ｏと室内機２ｉは配管を介して接続され、さらに、上述のジョイント４ｏで配管を１つに合流し、配管でジョイント４ｐに接続されている。
【００３２】
上述のジョイント４ｐで配管を１つに合流し、配管で上述のジョイント４ｑに接続され、さらに、このジョイント４ｑで配管を１つに合流し、配管でジョイント４ｒに接続されている。このジョイント４ｒと、室外機１ａおよび室外機１ｂとは配管で接続されている。
【００３３】
室内機２ａ〜２ｃの外部には、ジョイント４ｇと室内機２ａの間の配管に電子膨張弁３ａ、ジョイント４ｇと室内機２ｂの間の配管に電子膨張弁３ｂ、ジョイント４ｄと室内機２ｃの間の配管に電子膨張弁３ｃがそれぞれ直列に接続されている。
【００３４】
室内機２ｄ〜２ｆの外部には、ジョイント４ｈと室内機２ｄの間の配管に電子膨張弁３ｄ、ジョイント４ｈと室内機２ｅの間の配管に電子膨張弁３ｅ、ジョイント４ｅと室内機２ｆの間の配管に電子膨張弁３ｆがそれぞれ直列に接続されている。
【００３５】
室内機２ｇ〜２ｉの外部には、ジョイント４ｉと室内機２ｇの間の配管に電子膨張弁３ｇ、ジョイント４ｉと室内機２ｈの間の配管に電子膨張弁３ｈ、ジョイント４ｆと室内機２ｉの間の配管に電子膨張弁３ｉがそれぞれ直列に接続されている。
【００３６】
このように、室内機２ａ〜２ｉの外部に電子膨張弁３ａ〜３ｉを配置する理由は、液冷媒が電子膨張弁３ａ〜３ｉを流れるときに発生する冷媒音が各階の１フロアに響かないようにするためである。なお、冷媒音の対策を考慮しなければ、室内機２ａ〜２ｉの内部に電子膨張弁３ａ〜３ｉを配置してもよい。
【００３７】
電子膨張弁３ａは、室内機２ａから供給される電力により動作し、電子膨張弁３ｂは、室内機２ｂから供給される電力により動作し、電子膨張弁３ｃは、室内機２ｃから供給される電力により動作する。また、電子膨張弁３ｄは、室内機２ｄから供給される電力により動作し、電子膨張弁３ｅは、室内機２ｅから供給される電力により動作し、電子膨張弁３ｆは、室内機２ｆから供給される電力により動作する。更に、電子膨張弁３ｇは、室内機２ｇから供給される電力により動作し、電子膨張弁３ｈは、室内機２ｈから供給される電力により動作し、電子膨張弁３ｉは、室内機２ｉから供給される電力により動作する。
【００３８】
室外機１ａおよび室外機１ｂに電力を供給する電力供給源からメインブレーカー７ａまでは、１本の電源ケーブル８で配線され、メインブレーカー７ａから室外機１ａおよび室外機１ｂまでは、それぞれ電源ケーブル８で配線されている。電源ケーブル８のうち、一方の電源ケーブル８はサブブレーカー７ｂを介して室外機１ａまで配線され、他方の電源ケーブル８はサブブレーカー７ｃを介して室外機１ｂまで配線されている。
【００３９】
室内機２ａ〜２ｉに電力を供給する電力供給源からメインブレーカー９ａまでは、１本の電源ケーブル１１で配線され、メインブレーカー９ａからグループＡ〜Ｃに分かれて３本の電源ケーブル１１で室内機２ａ〜２ｉに配線されている。
【００４０】
３本の電源ケーブル１１のうち、１本の電源ケーブル１１は、サブブレーカー９ｂに接続されている。このサブブレーカー９ｂから室内機２ａ〜２ｃまでは、複数の端子台１０を介してそれぞれ電源ケーブル１１で配線されている。同様に、その他の１本の電源ケーブル１１は、サブブレーカー９ｃに接続されている。このサブブレーカー９ｃから室内機２ｄ〜２ｆまでは、複数の端子台１０を介してそれぞれ電源ケーブル１１で配線されている。さらに、その他の１本の電源ケーブル１１は、サブブレーカー９ｄに接続されている。このサブブレーカー９ｄから室内機２ｇ〜２ｉまでは、複数の端子台１０を介してそれぞれ電源ケーブル１１で配線されている。
【００４１】
電磁弁１２ａは、ジョイント４ｂとジョイント４ｄとの間の配管に直列に接続されている。同様に、電磁弁１２ｂは、ジョイント４ｃとジョイント４ｅとの間の配管に直列に接続され、電磁弁１２ｃは、ジョイント４ｃとジョイント４ｆとの間の配管に直列に接続されている。
【００４２】
電磁弁１２ａは、サブブレーカー９ｂから室内機２ａ〜２ｃまで配線される電源ケーブル１１に端子台１０を介して電源ケーブル１１で接続されている。同様に、電磁弁１２ｂは、サブブレーカー９ｃから室内機２ｄ〜２ｆまで配線される電源ケーブル１１に端子台１０を介して電源ケーブル１１で接続されている。同様に、電磁弁１２ｃは、サブブレーカー９ｄから室内機２ｇ〜２ｉまで配線される電源ケーブル１１に端子台１０を介して電源ケーブル１１で接続されている。
【００４３】
さらに、電磁弁１２ａ〜１２ｃはそれぞれ、電源ケーブル１１を介して電力が供給されると開き、電力が供給されないと閉じるようになっている。
【００４４】
次に、本実施形態における多室形空気調和機の動作について説明する。なお、以下の説明においては、停電によって電力の供給が遮断され多室形空気調和機が運転停止した後に、電力の供給が復旧し多室形空気調和機を再起動したとき、室外機１ａ、室外機１ｂに有する圧縮機への液戻りを防止する場合について説明する。
【００４５】
また、メインブレーカー９ａの作動によって電力の供給が遮断され室内機２ａ〜２ｉが運転停止した後に、室外機１ａおよび室外機１ｂが運転を継続しているとき、室外機１ａ、室外機１ｂに有する圧縮機への液戻りを防止する場合と、サブブレーカー９ｂ〜９ｄの作動によって電力の供給が遮断され一部の室内機が運転停止した後に、室外機１ａおよび室外機１ｂと、一部の室内機以外の室内機が運転を継続しているとき、室外機１ａ、室外機１ｂに有する圧縮機への液戻りを防止する場合について説明する。
【００４６】
まず、停電によって電力の供給が遮断され多室形空気調和機が運転停止した後に、電力の供給が復旧し多室形空気調和機を再起動したとき、室外機１ａ、室外機１ｂに有する圧縮機への液戻りを防止する場合について説明する。室外機１ａおよび室外機１ｂと室内機２ａ〜２ｉは停電したとき、各電力供給源からの電力の供給が遮断され、室外機１ａおよび室外機１ｂと室内機２ａ〜２ｉが運転停止する。このとき、電磁弁１２ａ〜１２ｃは、室内機２ａ〜２ｉと同一の電力供給源から電力の供給を受けているので、電磁弁１２ａ〜１２ｃについても、それぞれ電力が供給されなくなって、電磁弁１２ａ〜１２ｃがそれぞれ閉じられる。
【００４７】
この結果、電磁弁１２ａ〜１２ｃによって、グループＡ〜Ｃに液冷媒を供給する配管への液冷媒の供給が遮断される。したがって、多室形空気調和機の運転停止時に、室内機２ａ〜２ｉ内に液冷媒が流入し滞留することなく、多室形空気調和機を再起動したとき、室内機２ａ〜２ｉに有する各室内熱交換器で液冷媒が蒸発されずに、室外機１ａ、室外機１ｂに有する圧縮機に戻るという液戻りを防止することができる。
【００４８】
次に、メインブレーカー９ａの作動によって電力の供給が遮断され室内機２ａ〜２ｉが運転停止した後に、室外機１ａおよび室外機１ｂが運転を継続しているとき、室外機１ａ、室外機１ｂに有する圧縮機への液戻りを防止する場合について説明する。室内機２ａ〜２ｉはメインブレーカー９ａが作動したとき、電力供給源からの電力の供給が遮断され、室内機２ａ〜２ｉが運転停止する。このとき、電磁弁１２ａ〜１２ｃは、室内機２ａ〜２ｉと同一の電力供給源から電力の供給を受けているので、電磁弁１２ａ〜１２ｃについても、それぞれ電力が供給されなくなって、電磁弁１２ａ〜１２ｃがそれぞれ閉じられる。
【００４９】
この結果、電磁弁１２ａ〜１２ｃによって、停電した場合と同様に、グループＡ〜Ｃに液冷媒を供給する配管への液冷媒の供給が遮断される。したがって、室内機２ａ〜２ｉの運転停止時に、室外機１ａ、室外機１ｂが運転中であっても、室内機２ａ〜２ｉ内に液冷媒が流入することがなく、室内機２ａ〜２ｉに有する各室内熱交換器で液冷媒が十分に蒸発されずに、室外機１ａ、室外機１ｂに有する圧縮機に戻るという液戻りを防止することができる。
【００５０】
次に、サブブレーカー９ｂ〜９ｄの作動によって電力の供給が遮断され一部の室内機が運転停止した後に、室外機１ａおよび室外機１ｂと、一部の室内機以外の室内機が運転を継続しているとき、室外機１ａ、室外機１ｂに有する圧縮機への液戻りを防止する場合について説明する。室内機２ａ〜２ｃはサブブレーカー９ｂが作動したとき、電力供給源からの電力の供給が遮断され、室内機２ａ〜２ｃが運転停止する。このとき、電磁弁１２ａは、サブブレーカー９ｂの作動によって、電磁弁１２ａについても電力が供給されなくなって、電磁弁１２ａが閉じられる。同様に、室内機２ｄ〜２ｆはサブブレーカー９ｃが作動したとき、電力供給源からの電力の供給が遮断され、室内機２ｄ〜２ｆが運転停止し、室内機２ｇ〜２ｉはサブブレーカー９ｄが作動したとき、電力供給源からの電力の供給が遮断され、室内機２ｇ〜２ｉが運転停止する。このとき、電磁弁１２ｂまたは電磁弁１２ｃは、サブブレーカー９ｃまたはサブブレーカー９ｄの作動によって、電磁弁１２ｂまたは電磁弁１２ｃについても電力が供給されなくなって、電磁弁１２ｂまたは電磁弁１２ｃが閉じられる。
【００５１】
この結果、電磁弁１２ａ、電磁弁１２ｂまたは電磁弁１２ｃによって、停電した場合と同様に、グループＡ、グループＢまたはグループＣに液冷媒を供給する配管への液冷媒の供給が遮断される。したがって、グループＡ、グループＢまたはグループＣの各室内機の運転停止時に、運転中の室外機１ａおよび室外機１ｂと、運転中のグループの室内機があっても、各室内機内に液冷媒が流入することがなく、グループＡ、グループＢまたはグループＣの各室内熱交換器で液冷媒が十分に蒸発されずに、室外機１ａ、室外機１ｂに有する圧縮機に戻るという液戻りを防止することができる。
【００５２】
このように、いずれかのサブブレーカーが作動し、あるグループの室内機に電力供給源からの電力の供給が遮断されたとき、電磁弁を閉じて、グループＡ、グループＢまたはグループＣに分けて、室内機への液冷媒の流入を防ぐことができるため、サブブレーカーの作動がなく、運転中のグループの室内機に支障が起きないようにすることができる。
【００５３】
以上説明してきた本実施形態によれば、２台の室外機１ａ、１ｂと９台の室内機２ａ〜２ｉとを備える多室形空気調和機において、グループＡの室内機２ａ〜２ｃに液冷媒を供給する配管に電磁弁１２ａ、グループＢの室内機２ｄ〜２ｆに液冷媒を供給する配管に電磁弁１２ｂ、グループＣの室内機２ｇ〜２ｉに液冷媒を供給する配管に電磁弁１２ｃをそれぞれ直列に接続している。さらに、電磁弁１２ａ〜１２ｃはそれぞれ、室内機２ａ〜２ｉに電力を供給する電力供給源から電力が供給されると開き、電力が供給されないと閉じるようになっている。
【００５４】
これにより、本実施形態による多室形空気調和機において、停電やブレーカー（メインブレーカー９ａ、サブブレーカー９ｂ〜９ｄ）の作動によって電力の供給が遮断され、室外機、一部の室内機あるいは多室形空気調和機が運転停止した際に、背景技術のように、電池による電力の供給を必要とせず、また、検知手段や制御手段がなくても、電磁弁１２ａ〜１２ｃを閉じ、室内機２ａ〜２ｉへの液冷媒の流入を阻止することができる。この結果、室外機、一部の室内機以外の室内機が冷房運転中のときや、電力の供給が復旧し多室形空気調和機を再起動したときに、室外機１ａ、室外機１ｂの各圧縮機への液戻りを防止し、各圧縮機が故障しないようにすることができる。
【００５５】
なお、電磁弁の配置箇所は、本実施形態による電磁弁の配置箇所に限定されるものではなく、液管５上のどこに配置するかは適宜選択可能である。
【００５６】
例えば、グループＡでは、ジョイント４ｇと電子膨張弁３ａおよび３ｂの間の各配管と、ジョイント４ｄと電子膨張弁３ｃの間の配管とにそれぞれ、電磁弁を直列に接続してもよい。同様に、グループＢでは、ジョイント４ｈと電子膨張弁３ｄおよび３ｅの間の各配管と、ジョイント４ｅと電子膨張弁３ｆの間の配管とにそれぞれ、電磁弁を直列に接続し、グループＣでは、ジョイント４ｉと電子膨張弁３ｇおよび３ｈの間の各配管と、ジョイント４ｆと電子膨張弁３ｉの間の配管とにそれぞれ、電磁弁を直列に接続してもよい。
【００５７】
また、上述のようにジョイントと電子膨張弁との間の配管に電磁弁を直列に接続する以外に、各室内機２ａ〜２ｉ内の配管にそれぞれ、電磁弁を直列に接続してもよい。更に、室外機１ａとジョイント４ａとの間の配管と、室外機１ｂとジョイント４ａとの間の配管とにそれぞれ、電磁弁を直列に接続してもよく、室外機１ａ、室外機１ｂ内の配管にそれぞれ、電磁弁を直列に接続してもよい。
【００５８】
また、本実施形態による多室形空気調和機において、２台の室外機１ａ、１ｂと９台の室内機２ａ〜２ｉを備えるようにしたが、本発明はこれに限定されるものではなく、この台数以外の室外機とこの台数以外の複数の室内機を備えるようにしてもよい。
【００５９】
また、本実施形態による多室形空気調和機は、複数の配管と複数のジョイントとを用いた配管形態としたが、本発明はこれに限定するものではなく、ジョイントに替えてヘッダーを用いた配管形態でもよい。この場合、室外機と第１のヘッダーが配管を介して接続され、この第１のヘッダーで複数の配管に分岐し、配管で複数の室内機にそれぞれ接続される。さらに、同じ複数の室内機から配管を介して第２のヘッダーまで接続され、この第２のヘッダーで複数の配管を１つに合流し、配管で室外機に接続される。本発明は、室外機から第１のヘッダーまでの液冷媒が流れる配管に電磁弁を直列に接続することで実施可能である。また、本実施形態による多室形空気調和機のように、複数の室内機のグループを複数設ける場合、ジョイントとヘッダーを併用した配管形態であってもよい。
【００６０】
更に、本実施形態による多室型空気調和機では、室外機１ａと室外機１ｂがそれぞれ、三相の電力供給源から電力の供給を受け、室内機２ａ〜２ｉがそれぞれ、単相の電力供給源から電力の供給を受けるようにしたが、本発明はこれに限定するものではなく、室外機１ａと室外機１ｂがそれぞれ、単相の電力供給源から電力の供給を受け、室内機２ａ〜２ｉがそれぞれ、三相の電力供給源から電力の供給を受けるようにしてもよい。また、室外機１ａと室外機１ｂと室内機２ａ〜２ｉとがそれぞれ、三相または単相の電力供給源から電力の供給を受けるようにしてもよい。
【００６１】
更に、本実施形態では、多室形空気調和機に関するものであるが、本発明はこれに限定するものではなく、室外機１台、室内機１台の形式の空気調和機でも実施可能である。この場合、本実施形態と同様に、室外機と室内機との間の液冷媒が流れる配管に電磁弁を直列に接続し、電磁弁は、室外機と室内機に電力を供給する電力供給源から電力が供給されるようにすればよい。
【符号の説明】
【００６２】
１ａ、１ｂ  室外機
２ａ〜２ｉ  室内機
３ａ〜３ｉ  電子膨張弁
４ａ〜４ｒ  ジョイント
５  液管
６  ガス管
７ａ、９ａ  メインブレーカー
７ｂ、７ｃ、９ｂ〜９ｄ  サブブレーカー
８、１１  電源ケーブル
１０  端子台
１２ａ〜１２ｃ  電磁弁
【図１】
2011247491.tif 000003